(57)【要約】【課題】  水切り部材とまな板置き部とフキン掛け部とを一箇所にまとめて、必要に応じて合理的に使い分けできるようにしたキッチン用フロアキャビネットを提供する。【解決手段】  スライド部材４に、水切り部材５がシンク２２の上方に略水平状態で延在する倒伏位置Ｄと、この倒伏位置Ｄに対して略直角な起立位置Ｕとに揺動できるようにヒンジ結合で取付けて、水切り部材５には、まな板置き部１６とフキン掛け部１７とを設けて、倒伏位置Ｄでは水切り部材５として使用できるとともに、起立位置Ｕでは、まな板置き部１６にまな板１８を置き、フキン掛け部１７にフキン１９を掛けれるようにした。【選択図】      図４
2006325907.tif 000002
【特許請求の範囲】
【請求項１】
キャビネット本体の上部前面に、左右方向に延在するレール部材を設けて、このレール部材にスライド部材をスライド可能に係合させるとともに、このスライド部材に、キャビネット本体の上面のシンクの上方に略水平状態で延在する水切り部材を取付けたキッチン用フロアキャビネットであって、
前記スライド部材に、前記水切り部材が前記シンクの上方に略水平状態で延在する倒伏位置と、この倒伏位置に対して略直角な起立位置とに揺動できるようにヒンジ結合で取付けて、前記水切り部材には、まな板置き部とフキン掛け部とを設けて、前記倒伏位置では水切り部材として使用できるとともに、前記起立位置では、まな板置き部にまな板を置き、フキン掛け部にフキンを掛けれるようにしたことを特徴とするキッチン用フロアキャビネット。
【請求項２】
前記まな板置き部は水切り部材の下面下部に設け、前記フキン掛け部は水切り部材の上面上部に設けて、このフキン掛け部は、使用時には水切り部材の上面から外方に引き出し可能であり、不使用時には水切り部材の上面と略面一となるように収納できることを特徴とする請求項１に記載のキッチン用フロアキャビネット。
【請求項３】
前記水切り部材は、中折れ式リンク機構で起立位置に保持するようにしたことを特徴とする請求項１または２に記載のキッチン用フロアキャビネット。
【発明の詳細な説明】
【技術分野】
【０００１】
本発明は、キッチン用フロアキャビネットに関する。
【背景技術】
【０００２】
従来、キッチン用フロアキャビネットにおいて、キャビネット本体の上面のシンクの上方に略水平状態で延在する水切り部材を設けて、この水切り部材を左右方向にスライド可能に取付けたものがある（特許文献１参照）。
【特許文献１】特開平６−７３７６７号公報
【発明の開示】
【発明が解決しようとする課題】
【０００３】
ところで、キッチンの必需品であるまな板置き部やフキン掛け部は、キャビネット本体のカウンターの上に置いたり、キッチンの内壁やキャビネット本体の側面に取付けるというように、無秩序に設置しているが、水切り部材とまな板置き部とフキン掛け部とを一箇所にまとめて、必要に応じて使い分けできるようにすれば、より便利になる。
【０００４】
本発明は、前記のような要望に応えるためになされたもので、水切り部材とまな板置き部とフキン掛け部とを一箇所にまとめて、必要に応じて合理的に使い分けできるようにしたキッチン用フロアキャビネットを提供することを目的とするものである。
【課題を解決するための手段】
【０００５】
前記課題を解決するために、本発明は、キャビネット本体の上部前面に、左右方向に延在するレール部材を設けて、このレール部材にスライド部材をスライド可能に係合させるとともに、このスライド部材に、キャビネット本体の上面のシンクの上方に略水平状態で延在する水切り部材を取付けたキッチン用フロアキャビネットであって、前記スライド部材に、前記水切り部材が前記シンクの上方に略水平状態で延在する倒伏位置と、この倒伏位置に対して略直角な起立位置とに揺動できるようにヒンジ結合で取付けて、前記水切り部材には、まな板置き部とフキン掛け部とを設けて、前記倒伏位置では水切り部材として使用できるとともに、前記起立位置では、まな板置き部にまな板を置き、フキン掛け部にフキンを掛けれるようにしたことを特徴とするキッチン用フロアキャビネットを提供するものである。
【０００６】
水切り部材の使用時の邪魔にならないようにするために、前記まな板置き部は水切り部材の下面下部に設け、前記フキン掛け部は水切り部材の上面上部に設けて、このフキン掛け部は、使用時には水切り部材の上面から外方に引き出し可能であり、不使用時には水切り部材の上面と略面一となるように収納できるようにすることが好ましい。
【０００７】
水切り部材を起立位置に確実に保持するために、前記水切り部材は、中折れ式リンク機構で起立位置に保持することが好ましい。
【発明の効果】
【０００８】
本発明によれば、水切り部材にまな板置き部とフキン掛け部とを設けて、これらを一箇所にまとめて、カウンター付近をすっきりとさせるとともに、水切り部材は、倒伏位置では水切り部材として使用できるとともに、起立位置では、水切り部材として使用できないが、まな板置き部にまな板を置くことができ、フキン掛け部にフキンを掛けることができるので、必要に応じて合理的に使い分けできるようになる。
【０００９】
また、キャビネット本体のレール部材にスライド可能に係合するスライド部材に水切り部材を取付けたから、水切り部材の左右方向の位置を自由に変更することができる。
【発明を実施するための最良の形態】
【００１０】
以下、本発明を実施するための最良の形態について、図面を参照しながら詳細に説明する。
【００１１】
図１及び図２に示すように、本発明の一実施形態に係るキッチン用フロアキャビネット１は、キャビネット本体２と、このキャビネット本体２の上部前面に設けられ、左右方向に延在するレール部材３と、このレール部材３にスライド（スライド方向Ｓ参照）可能に係合するスライド部材４と、このスライド部材４に取付けられる水切り部材５とを備えている。
【００１２】
前記キャビネット本体２は、略直方体の形状をなしており、人造大理石等で構成されるカウンター２１と、このカウンター２１を支持する箱体２４と、箱体２４に前後方向にスライド可能に収容される複数の引出し２５とを有している。
【００１３】
前記カウンター２１には、調理器（図示せず）やシンク２２が組み込まれているとともに、カラン２３が取付けられている。このカウンター２１の手前側端部は、箱体２４の前面よりも手前側（図２では左側）に突出しており、収容状態での引出し２５の前壁を上方から覆うことが可能となっている。また、カウンター２１の下面と箱体２４の手前側上端部との間には、所定寸法の隙間ｔが設けられており、この隙間ｔに前記レール部材３の張出部３２が嵌め込まれている。
【００１４】
前記レール部材３は、側面視で下方及び奥側（図２では右側）に延びる略Ｌ字状をなしており、奥側に延びる部分が前記張出部３２となっている。また、レール部材３は、前面が引出し２５の前面と略面一となるように構成されており、この前面の上部がカウンター２１の手前側端部に設けられた下方に突出する突出部２１ａに当接して、レール部材３の脱落防止が図られている。
【００１５】
前記レール部材３の下面は、側面視で略Ｌ字状の固定金具２６で支えられている。固定金具２６は、上下方向に延びる部分がビスＳ１によって箱体２４の前面に固定され、水平方向に延びる部分がレール部材３にビスＳ２によって固定されている。
【００１６】
前記レール部材３の下方には、グリル等からの熱がレール部材３に伝わるのを抑制するために、レール部材３の下面及び固定金具２６の下面に接するように断熱材２７が配設されている。
【００１７】
前記レール部材３には、手前側に開口する係合溝３１が形成されている。この係合溝３１は、前後方向に延びる基部溝３１ａと、基部溝３１ａの奥側で斜め上方に立ち上がる立上り溝３１ｂとからなり、側面視で略Ｌ字状をなしている。
【００１８】
前記スライド部材４は、側面視で上方及び奥側に延びる略Ｌ字状の本体部４２と、レール部材３の係合溝３１に嵌り込んで係合する係合部４１とを有している。
【００１９】
前記本体部４２は、前後方向に延びる水平部４２ａと、この水平部４２ａの手前側端部から上方に延びる垂直部４２ｂとからなっている。そして、水平部４２ａの奥側端部に前記係合部４１が連設されている。
【００２０】
前記係合部４１は、前後方向に延びて、レール部材３の係合溝３１の基部溝３１ａの下面に載置可能な基部４１ａと、この基部４１ａの奥側で斜め上方に立ち上がって、レール部材３の係合溝３１の立上り溝３１ｂに係合可能な立上り部４１ｂとからなり、側面視で略Ｌ字状をなしている。
【００２１】
そして、前記スライド部材４の係合部４１は、下から上に回し操作しながら前記レール部材３の係合溝３１に挿入することにより、立上り部４１ｂが基部溝３１ａを通過して立上り溝３１ｂに係合するようになっている。
【００２２】
前記基部４１ａの厚みは、前記本体部４２の水平部４２ａの厚みよりも薄く設定されており、この基部４１ａの上面は水平部４２ａの上面と略面一になっている。そして、基部４１ａの下方に位置する水平部４２ａの奥側端部の端面は、係合部４１が係合溝３１に係合した状態で、レール部材３の前面のうち係合溝３１の下方に位置する部分に当接するレール部材当接面４２ｃとなっている。
【００２３】
前記スライド部材４の本体部４２の垂直部４２ｂの上端部には、左右方向に延びる回転軸６が設けられており、この回転軸６を介して前記水切り部材５の手前側板１０ａ〔図４（ａ）参照〕の端部が前後方向に回動可能（矢印Ｒ参照）に取付けられている。
【００２４】
前記水切り部材５は、スライド部材４の本体部４２の垂直部４２ｂの上方からキャビネット本体２の上面のシンク２２の上方に略水平状態で延在する大きさを有している。この水切り部材５の下面には、カウンター２１の上面に当接して、水切り部材５を略水平状態に保つ突起５１が設けられている。なお、水切り部材５の具体的な構成は、後で詳細に説明する。
【００２５】
このような水切り部材５が取付けられたスライド部材４は、レール部材３から取外すことができる。すなわち、図３（ａ）に示すように、まず水切り部材５を回転軸６を中心にして矢印ａのように後方に回動させる。次に、図３（ｂ）に示すように、スライド部材４の本体部４２の手前側端部を矢印ｂのように持ち上げて、当該スライド部材４をやや前倒して係合部４１を上から下に回し操作する。そして、この状態で、図３（ｃ）に示すように、スライド部材４の係合部４１を矢印ｃのように手前側に引き抜けば、前方からの操作でスライド部材４をレール部材３から取外すことができる。
【００２６】
逆に、スライド部材４をレール部材３に取付けるには、前記操作とは逆にすればよい。すなわち、水切り部材５を回転軸６を中心にして後方に回動させるとともにスライド部材４をやや前倒させて係合部４１をレール部材３の係合溝３１に嵌め込み、この状態でスライド部材４を後倒して係合部４１を下から上に回し操作すれば、立上り部４１ｂが立上り溝３１ｂに係合するとともに基部４１ａが基部溝３１ａの下面に載置され、かつ、レール部材当接面４２ｃがレール部材３の前面に当接して、スライド部材４の自重によって係合部４１の係合溝３１への係合状態が維持される。最後に、水切り部材５を前方に回動させれば、水切り部材５の突起５１がカウンター２１の上面に当接することにより水切り部材５が略水平状態に当て止められる。
【００２７】
このように、本実施形態のキッチン用フロアキャビネット１では、スライド部材４を前倒または後倒操作するだけで、スライド部材４を前方から簡単にレール部材３に取付けたりレール部材３から取外したりすることができる。
【００２８】
また、スライド部材４に水切り部材５を固定したとすると、スライド部材４を前倒しようとしても水切り部材５がカウンター２１に干渉してスライド部材４を前倒させることはできないが、スライド部材４に水切り部材５を回動可能に取付けたから、スライド部材４を前倒させることが可能となり、水切り部材５を設けた場合でもスライド部材４を前方から容易にレール部材３に着脱することができる。
【００２９】
次に、前記水切り部材５の具体的な構成を説明する。図４（ａ）は水切り部材５の斜視図、図６は水切り部材５の分解斜視図である。
【００３０】
前記水切り部材５には、前記スライド部材４の本体部４２の回転軸６で前後方向に回動可能（矢印Ｒ参照）に取付けられる手前側板１０ａと、この手前側板１０ａと対向する奥側板１０ｂとが一定の隙間を隔てて設けられ、この手前側板１０ａと奥側板１０ｂとは、スライド方向Ｓの両側の連結シャフト１１ａ，１１ｂで一体的に連結されている。
【００３１】
前記手前側板１０ａと奥側板１０ｂとの間の隙間には、手前側板１０ａと奥側板１０ｂの上面と面一となるように水切りプレート１２が配置されている。
【００３２】
この水切りプレート１２のスライド方向Ｓの一端側（図中右端部）の下面には、連結シャフト１１ｂが貫通する貫通穴１３ａを有する軸受ブロック１３が固定されるとともに、スライド方向Ｓの他端側（図中左端部）の下面には、連結シャフト１１ａに上方から係合可能な係合溝１４ａを有する弾性（例えばゴム材）の係合ブロック１４が固定されている。
【００３３】
そして、水切りプレート１２は、軸受ブロック１３と連結シャフト１１ｂとによって、前記シンク２２の上方に略水平状態で延在する倒伏位置Ｄと、この倒伏位置Ｄに対して略直角な起立位置Ｕとに揺動できるように、ヒンジ結合状態で取付けられることになる。前記水切りプレート１２が倒伏位置Ｄの時に、係合ブロック１４の係合溝１４ａが連結シャフト１１ａに上方から係合することで、水切りプレート１２は倒伏位置Ｄに保持（ロック）されるようになる。
【００３４】
また、前記手前側板１０ａと水切りプレート１２とは、中折れ式リンク機構１５で連結することで、起立時には水切りプレート１２を起立位置Ｕに確実に保持できるとともに、倒伏時には水切りプレート１２の下方に中折れ式リンク機構１５を簡単に折り畳んで収納することができる。
【００３５】
前記水切りプレート１２の下面下部に位置する軸受ブロック１３には、側面視でＵ字状のまな板置き部１６が固定されるとともに、水切りプレート１２の上面上部には、フキン掛け部１７を設けている。このフキン掛け部１７は、両端のヒンジ部１７ａが水切りプレート１２の両側面の差し込み穴（具体的に図示せす。）で回動可能に支承されて、不使用時には、水切りプレート１２の上面と略面一となるように凹部１２ａに収納されるとともに、使用時には水切りプレート１２の上面と直角となるように引き出せるようになっている。
【００３６】
前記のような水切り部材５であれば、水切り部材５には、水切りプレート１２とまな板置き部１６とフキン掛け部１７とを設けたから、これらを一箇所にまとめることで、カウンター２１の付近をすっきりとさせることができる。
【００３７】
さらに、水切り部材５は、倒伏位置Ｄでは水切りプレート１２として使用できるとともに、起立位置Ｕでは、水切りプレート１２として使用できないが、図４（ｂ）および図５（ａ）（ｂ）に示すように、まな板置き部１６にまな板１８を置くことができるとともに、フキン掛け部１７を水切りプレート１２の上面と直角となるように引き出せば、２枚のフキン１９を掛けることができる。
【００３８】
このように、水切り部材５は、必要に応じて、水切りプレート１２、まな板置き部１６、フキン掛け部１７を合理的に使い分けできるようになる。
【００３９】
また、まな板置き部１６は、水切りプレート１２の下面下部に設けたから、水切りプレート１２の使用時は邪魔にならないとともに、水切り部材５の起立位置Ｕでは、重量のあるまな板１８を安定に置くことができる。さらに、フキン掛け部１７は、水切り部材５の上面上部に設けたから、不使用時には水切りプレート１２の上面と略面一となるように収納できるので、水切りプレート１２の使用時は邪魔にならないとともに、水切り部材５の起立位置では、水切りプレート１２の上面から外方に引き出せるので、水切り部材５の上部から垂れ下がらせるようにフキン１９を掛けることができる。
【００４０】
また、キャビネット本体２のレール部材３にスライド可能に係合するスライド部材４に水切り部材５を取付けたから、水切り部材５のスライド（左右）方向Ｓの位置を自由に変更することができる。
【００４１】
前記実施形態では、水切り部材５が取付けられたスライド部材４をレール部材３から取外せるタイプであったが、水切り部材５が取付けられたスライド部材４をレール部材３から取外せないタイプであっても良い。
【００４２】
また、キッチン用フロアキャビネット１は、壁付きキッチンタイプのみでなく、水切り部材５、まな板置き部１６、フキン掛け部１７の設置の難しい対面キッチンタイプでも可能である。
【図面の簡単な説明】
【００４３】
【図１】本発明の一実施形態に係るキッチン用フロアキャビネットの斜視図である。
【図２】図１のＩＩ−ＩＩ線断面図である。
【図３】（ａ）〜（ｃ）は、レール部材からスライド部材を取外すときの操作説明図である。
【図４】（ａ）は、水切りプレートが倒伏位置の水切り部材の斜視図、（ｂ）は、水切りプレートが起立位置の水切り部材の略画的側面図である。
【図５】（ａ）は、水切りプレートが起立位置のフキン掛け部側から見た水切り部材の斜視図、（ｂ）は、水切りプレートが起立位置のまな板置き部側から見た水切り部材の斜視図である。
【図６】水切り部材の分解斜視図である。
【符号の説明】
【００４４】
１    キッチン用フロアキャビネット
２    キャビネット本体
３    レール部材
４    スライド部材
５    水切り部材
６    回転軸
１５  中折れ式リンク機構
１６  まな板置き部
１７  フキン掛け部
１８  まな板
１９  フキン
２２  シンク
Ｓ    スライド方向
Ｄ    倒伏位置
Ｕ    起立位置
【図１】
2006325907.tif 000003
【図２】
2006325907.tif 000004
【図３】
2006325907.tif 000005
【図４】
2006325907.tif 000006
【図５】
2006325907.tif 000007
【図６】
2006325907.tif 000008